【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
遊技機に併設された各台装置と、遊技客が獲得した獲得遊技媒体数を管理する管理装置と、従業員により携行される前記管理装置と通信可能な携帯端末装置とを含む遊技システムであって、
前記各台装置は、
記録媒体を受け付けた場合に当該記録媒体に関連付けられた獲得遊技媒体数を特定する獲得遊技媒体数特定手段と、
所定の情報を送信することにより、獲得遊技媒体数を前記記録媒体に関連付けて管理するよう前記管理装置に要求する獲得遊技媒体数管理要求手段と
を備え、
前記携帯端末装置は、
前記獲得遊技媒体数を特定する特定情報の入力を受け付ける入力受付手段と、
前記入力受付手段が受け付けた前記特定情報と前記各台装置を特定する情報とを関連付けた各台情報を生成する各台情報生成手段と
を備え、
前記管理装置は、
前記記録媒体と前記獲得遊技媒体数とを関連付けて管理する獲得遊技媒体数管理手段と、
前記各台情報生成手段により生成された各台情報により示される獲得遊技媒体数を、記録媒体に対して関連付ける処理を行う各台情報処理手段と
を備える
ことを特徴とする遊技システム。
【請求項２】
前記各台情報処理手段は、前記各台情報を受信した場合に、当該各台情報により特定される各台装置及び／又は当該各台装置に対応する遊技機に関連して所定の異常が検出されていることを条件に、前記各台情報の処理を行うことを特徴とする請求項１に記載の遊技システム。
【請求項３】
前記管理装置は、
各台装置に対応する遊技機における遊技結果として少なくとも消費遊技媒体数及び投出遊技媒体数を含む遊技結果情報を取得する遊技結果情報取得手段を備え、
前記各台情報処理手段は、
前記各台情報を受信した場合に、当該各台情報により特定される各台装置に対応する遊技機の遊技結果情報と各台情報に含まれる獲得遊技媒体数の整合性があることを条件に、前記各台装置の処理を行う
ことを特徴とする請求項１又は２に記載の遊技システム。
【請求項４】
前記管理装置は、前記各台情報により特定される遊技媒体数を、当該各台情報により特定される各台装置が受け付け中の記録媒体以外の他の記録媒体に関連付けるための処理を行う代替記録媒体発行処理手段をさらに備えたことを特徴とする請求項１，２又は３に記載の遊技システム。
【請求項５】
景品交換処理を行う景品管理装置をさらに備え、
前記景品管理装置は、前記各台情報により特定される遊技媒体数に基づき景品交換処理を行う各台情報景品交換処理手段を備えた
ことを特徴とする請求項１〜４のいずれか一つに記載の遊技システム。
【請求項６】
前記携帯端末装置は、
前記管理装置にて管理されている獲得遊技媒体数に関する情報を表示する獲得遊技媒体数情報表示手段
をさらに備えたことを特徴とする請求項１〜５のいずれか一つに記載の遊技システム。
【請求項７】
遊技機に併設された各台装置と、遊技客が獲得した獲得遊技媒体数を管理する管理装置と、従業員により携行される前記管理装置と通信可能な携帯端末装置とを含む遊技システムの遊技管理方法であって、
前記各台装置が、記録媒体に関連付けられた獲得遊技媒体数を特定する獲得遊技媒体数特定ステップと、
前記携帯端末装置が、前記獲得遊技媒体数を特定する特定情報の入力を受け付ける入力受付ステップと、
前記携帯端末装置が、前記入力受付ステップにより受け付けた前記特定情報と前記各台装置を特定する情報とを関連付けた各台情報を生成する各台情報生成ステップと、
前記管理装置が、前記各台情報により示される獲得遊技媒体数を、記録媒体に対して関連付ける各台情報処理ステップと
を含んだ
ことを特徴とする遊技管理方法。
【手続補正２】
【補正対象書類名】明細書
【補正対象項目名】０００７
【補正方法】変更
【補正の内容】
【０００７】
しかしながら、上記に代表される従来技術は、台移動や景品交換について利便性が十分でなかった。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明は、上記従来技術の課題を解決するためになされたものであって、台移動や景品交換について利便性を向上することができる遊技システム及び遊技管理方法を提供することを目的とする。
【手続補正７】
【補正対象書類名】明細書
【補正対象項目名】００１２
【補正方法】変更
【補正の内容】
【００１２】
上述した課題を解決し、目的を達成するため、本発明は、遊技機に併設された各台装置と、遊技客が獲得した獲得遊技媒体数を管理する管理装置と、従業員により携行される前記管理装置と通信可能な携帯端末装置とを含む遊技システムであって、前記各台装置は、記録媒体を受け付けた場合に当該記録媒体に関連付けられた獲得遊技媒体数を特定する獲得遊技媒体数特定手段と、所定の情報を送信することにより、獲得遊技媒体数を前記記録媒体に関連付けて管理するよう前記管理装置に要求する獲得遊技媒体数管理要求手段とを備え、前記携帯端末装置は、前記獲得遊技媒体数を特定する特定情報の入力を受け付ける入力受付手段と、前記入力受付手段が受け付けた前記特定情報と前記各台装置を特定する情報とを関連付けた各台情報を生成する各台情報生成手段とを備え、前記管理装置は、前記記録媒体と前記獲得遊技媒体数とを関連付けて管理する獲得遊技媒体数管理手段と、前記各台情報生成手段により生成された各台情報により示される獲得遊技媒体数を、記録媒体に対して関連付ける処理を行う各台情報処理手段とを備えることを特徴とする。
【手続補正８】
【補正対象書類名】明細書
【補正対象項目名】００１４
【補正方法】変更
【補正の内容】
【００１４】
また、本発明は、上記発明において、前記管理装置は、各台装置に対応する遊技機における遊技結果として少なくとも消費遊技媒体数及び投出遊技媒体数を含む遊技結果情報を取得する遊技結果情報取得手段を備え、前記各台情報処理手段は、前記各台情報を受信した場合に、当該各台情報により特定される各台装置に対応する遊技機の遊技結果情報と各台情報に含まれる獲得遊技媒体数の整合性があることを条件に、前記各台装置の処理を行うことを特徴とする。
【手続補正９】
【補正対象書類名】明細書
【補正対象項目名】００１７
【補正方法】変更
【補正の内容】
【００１７】
また、本発明は、上記発明において、前記携帯端末装置は、前記管理装置にて管理されている獲得遊技媒体数に関する情報を表示する獲得遊技媒体数情報表示手段をさらに備えたことを特徴とする。
【手続補正１０】
【補正対象書類名】明細書
【補正対象項目名】００１８
【補正方法】変更
【補正の内容】
【００１８】
また、本発明は、遊技機に併設された各台装置と、遊技客が獲得した獲得遊技媒体数を管理する管理装置と、従業員により携行される前記管理装置と通信可能な携帯端末装置とを含む遊技システムの遊技管理方法であって、前記各台装置が、記録媒体に関連付けられた獲得遊技媒体数を特定する獲得遊技媒体数特定ステップと、前記携帯端末装置が、前記獲得遊技媒体数を特定する特定情報の入力を受け付ける入力受付ステップと、前記携帯端末装置が、前記入力受付ステップにより受け付けた前記特定情報と前記各台装置を特定する情報とを関連付けた各台情報を生成する各台情報生成ステップと、前記管理装置が、前記各台情報により示される獲得遊技媒体数を、記録媒体に対して関連付ける各台情報処理ステップとを含んだことを特徴とする。
【手続補正１１】
【補正対象書類名】明細書
【補正対象項目名】０２５２
【補正方法】変更
【補正の内容】
【０２５２】
以上のように、本発明に係る遊技システム及び遊技管理方法は、台移動や景品交換について利便性を向上する場合に適している。